【手続補正書】
【提出日】平成17年12月27日(2005.12.27)
【手続補正１】
【補正対象書類名】明細書
【補正対象項目名】発明の名称
【補正方法】変更
【補正の内容】
【発明の名称】光ディスク記録装置の制御方法
【手続補正２】
【補正対象書類名】明細書
【補正対象項目名】特許請求の範囲
【補正方法】変更
【補正の内容】
【特許請求の範囲】
【請求項１】  データの記録が可能な記憶媒体を用いる光ディスク記録装置の制御方法において、
ホスト装置のユーザの設定により、記憶媒体の所定記憶領域に記録するディスクカテゴリの値を書き換えることを特徴とする光ディスク記録装置の制御方法。
【請求項２】  データの記録が可能な記憶媒体を用いる光ディスク記録装置の制御方法において、
ホスト装置のユーザの設定により、記憶媒体の所定記憶領域に記録するディスクカテゴリの値を書き換えるとともに、
上記ディスクカテゴリの値がＤＶＤ−ＲＯＭに対応したものであり、かつ、記憶媒体がＤＶＤ＋Ｒである場合には、マルチセッション記録動作を禁止することを特徴とする光ディスク記録装置の制御方法。
【請求項３】  データの記録が可能な記憶媒体を用いる光ディスク記録装置の制御方法において、
ホスト装置のユーザの設定により、記憶媒体の所定記憶領域に記録するディスクカテゴリの値を書き換えるとともに、
上記ディスクカテゴリの値がＤＶＤ−ＲＯＭに対応したものであり、かつ、記憶媒体がＤＶＤ＋Ｒである場合には、マルチフラグメント記録動作を禁止することを特徴とする光ディスク記録装置の制御方法。
【請求項４】  データの記録が可能な記憶媒体を用いる光ディスク記録装置の制御方法において、
記憶媒体の所定記憶領域に記録するディスクカテゴリの値を記憶する不揮発記憶手段を備え、
ホスト装置のユーザの設定により、記憶媒体の所定記憶領域に記録するディスクカテゴリの値を書き換えるとともに、当該ディスクカテゴリの値を上記不揮発性記憶手段に記憶し、それ以降は、上記不揮発性記憶手段に記憶したディスクカテゴリの値を記憶媒体の所定記憶領域に記録することを特徴とする光ディスク記録装置の制御方法。
【請求項５】  データの記録が可能な記憶媒体を用いる光ディスク記録装置の制御方法において、
記憶媒体の所定記憶領域に記録するディスクカテゴリの値を記憶する不揮発記憶手段を備え、
ホスト装置のユーザの設定により、記憶媒体の所定記憶領域に記録するディスクカテゴリの値を書き換えるとともに、当該ディスクカテゴリの値を上記不揮発性記憶手段に記憶し、それ以降は、上記不揮発性記憶手段に記憶したディスクカテゴリの値を記憶媒体の所定記憶領域に記録する一方、
上記ディスクカテゴリの値がＤＶＤ−ＲＯＭに対応したものであり、かつ、記憶媒体がＤＶＤ＋Ｒである場合には、マルチセッション記録動作を禁止することことを特徴とする光ディスク記録装置の制御方法。
【請求項６】  データの記録が可能な記憶媒体を用いる光ディスク記録装置の制御方法において、
記憶媒体の所定記憶領域に記録するディスクカテゴリの値を記憶する不揮発記憶手段を備え、
ホスト装置のユーザの設定により、記憶媒体の所定記憶領域に記録するディスクカテゴリの値を書き換えるとともに、当該ディスクカテゴリの値を上記不揮発性記憶手段に記憶し、それ以降は、上記不揮発性記憶手段に記憶したディスクカテゴリの値を記憶媒体の所定記憶領域に記録する一方、
上記ディスクカテゴリの値がＤＶＤ−ＲＯＭに対応したものであり、かつ、記憶媒体がＤＶＤ＋Ｒである場合には、マルチフラグメント記録動作を禁止することことを特徴とする光ディスク記録装置の制御方法。
【手続補正３】
【補正対象書類名】明細書
【補正対象項目名】０００１
【補正方法】変更
【補正の内容】
【０００１】
【発明の属する技術分野】
本発明は、データの記録が可能な記憶媒体を用いる光ディスク記録装置の制御方法に関する。
【手続補正４】
【補正対象書類名】明細書
【補正対象項目名】０００８
【補正方法】変更
【補正の内容】
【０００８】
本発明は、かかる実情に鑑みてなされたものであり、ＤＶＤ＋ＲおよびＤＶＤ＋ＲＷをＤＶＤ−ＲＯＭ装置でも適切に取り扱うことができるようにした光ディスク記録装置の制御方法を提供することを目的としている。
【手続補正５】
【補正対象書類名】明細書
【補正対象項目名】０００９
【補正方法】変更
【補正の内容】
【０００９】
【課題を解決するための手段】
本発明は、データの記録が可能な記憶媒体を用いる光ディスク記録装置の制御方法において、ホスト装置のユーザの設定により、記憶媒体の所定記憶領域に記録するディスクカテゴリの値を書き換えるようにしたものである。
【手続補正６】
【補正対象書類名】明細書
【補正対象項目名】００１０
【補正方法】変更
【補正の内容】
【００１０】
また、データの記録が可能な記憶媒体を用いる光ディスク記録装置の制御方法において、ホスト装置のユーザの設定により、記憶媒体の所定記憶領域に記録するディスクカテゴリの値を書き換えるとともに、上記ディスクカテゴリの値がＤＶＤ−ＲＯＭに対応したものであり、かつ、記憶媒体がＤＶＤ＋Ｒである場合には、マルチセッション記録動作を禁止するようにしたものである。
【手続補正７】
【補正対象書類名】明細書
【補正対象項目名】００１１
【補正方法】変更
【補正の内容】
【００１１】
また、データの記録が可能な記憶媒体を用いる光ディスク記録装置の制御方法において、ホスト装置のユーザの設定により、記憶媒体の所定記憶領域に記録するディスクカテゴリの値を書き換えるとともに、上記ディスクカテゴリの値がＤＶＤ−ＲＯＭに対応したものであり、かつ、記憶媒体がＤＶＤ＋Ｒである場合には、マルチフラグメント記録動作を禁止するようにしたものである。
【手続補正８】
【補正対象書類名】明細書
【補正対象項目名】００１２
【補正方法】変更
【補正の内容】
【００１２】
また、データの記録が可能な記憶媒体を用いる光ディスク記録装置の制御方法において、記憶媒体の所定記憶領域に記録するディスクカテゴリの値を記憶する不揮発記憶手段を備え、ホスト装置のユーザの設定により、記憶媒体の所定記憶領域に記録するディスクカテゴリの値を書き換えるとともに、当該ディスクカテゴリの値を上記不揮発性記憶手段に記憶し、それ以降は、上記不揮発性記憶手段に記憶したディスクカテゴリの値を記憶媒体の所定記憶領域に記録するようにしたものである。
【手続補正９】
【補正対象書類名】明細書
【補正対象項目名】００１３
【補正方法】変更
【補正の内容】
【００１３】
また、データの記録が可能な記憶媒体を用いる光ディスク記録装置の制御方法において、記憶媒体の所定記憶領域に記録するディスクカテゴリの値を記憶する不揮発記憶手段を備え、ホスト装置のユーザの設定により、記憶媒体の所定記憶領域に記録するディスクカテゴリの値を書き換えるとともに、当該ディスクカテゴリの値を上記不揮発性記憶手段に記憶し、それ以降は、上記不揮発性記憶手段に記憶したディスクカテゴリの値を記憶媒体の所定記憶領域に記録する一方、上記ディスクカテゴリの値がＤＶＤ−ＲＯＭに対応したものであり、かつ、記憶媒体がＤＶＤ＋Ｒである場合には、マルチセッション記録動作を禁止するようにしたものである。
【手続補正１０】
【補正対象書類名】明細書
【補正対象項目名】００１４
【補正方法】変更
【補正の内容】
【００１４】
また、データの記録が可能な記憶媒体を用いる光ディスク記録装置の制御方法において、記憶媒体の所定記憶領域に記録するディスクカテゴリの値を記憶する不揮発記憶手段を備え、ホスト装置のユーザの設定により、記憶媒体の所定記憶領域に記録するディスクカテゴリの値を書き換えるとともに、当該ディスクカテゴリの値を上記不揮発性記憶手段に記憶し、それ以降は、上記不揮発性記憶手段に記憶したディスクカテゴリの値を記憶媒体の所定記憶領域に記録する一方、上記ディスクカテゴリの値がＤＶＤ−ＲＯＭに対応したものであり、かつ、記憶媒体がＤＶＤ＋Ｒである場合には、マルチフラグメント記録動作を禁止するようにしたものである。